(57)【要約】【課題】特別なパケットを使用することなく、また、使用者が特別な操作を行うことなく、低消費電力モードから復帰することができる。【解決手段】情報処理装置は、無線ＬＡＮを介して端末装置に接続される情報処理装置であって、アクセスポイント装置として動作し、ＩＥＥＥ８０２．１１規格で定められたフレームを用いて端末装置と送受信を行う無線ＬＡＮ通信手段と、情報処理装置の動作モードを制御する省エネルギー制御手段とを備える。無線ＬＡＮ通信手段は、情報処理装置が低消費電力モードで動作している場合に、ＩＥＥＥ８０２．１１規格で定められた特定のフレームを含む手順を完了したとき、復帰信号を生成する。省エネルギー制御手段は、復帰信号に応答して、情報処理装置を低消費電力モードから復帰させることを特徴とする。【選択図】図２
2017079373.tif 000002
【特許請求の範囲】
【請求項１】
無線ＬＡＮを介して端末装置に接続される情報処理装置であって、
アクセスポイント装置として動作し、ＩＥＥＥ８０２．１１規格で定められたフレームを用いて前記端末装置と送受信を行う無線ＬＡＮ通信手段と、
前記情報処理装置の動作モードを制御する省エネルギー制御手段とを備え、
前記無線ＬＡＮ通信手段は、前記情報処理装置が低消費電力モードで動作している場合に、前記ＩＥＥＥ８０２．１１規格で定められた特定のフレームを含む手順を完了したとき、復帰信号を生成し、
前記省エネルギー制御手段は、前記復帰信号に応答して、前記情報処理装置を前記低消費電力モードから復帰させることを特徴とする情報処理装置。
【請求項２】
前記特定のフレームは、認証フレームであることを特徴とする請求項１記載の情報処理装置。
【請求項３】
前記特定のフレームは、プローブ要求フレームであることを特徴とする請求項１記載の情報処理装置。
【請求項４】
前記無線ＬＡＮ通信手段は、Ｗｉ−Ｆｉ  Ｄｉｒｅｃｔのグループオーナーモードで動作することを特徴とする請求項１〜３のうちのいずれか一つに記載の情報処理装置。
【請求項５】
前記情報処理装置は、使用者が操作するための操作手段をさらに備え、
前記操作手段は、前記低消費電力モードにおいて前記操作手段の動作を停止させ、前記復帰信号に応答して前記操作手段を起動させると共に別の復帰信号を生成する別の省エネルギー制御手段を備え、
前記省エネルギー制御手段は、前記別の復帰信号に応答して、前記情報処理装置を前記低消費電力モードから復帰させることを特徴とする請求項１〜４のうちのいずれか一つに記載の情報処理装置。
【請求項６】
前記情報処理装置は、所定の情報処理を制御する情報処理制御手段をさらに備え、
前記動作モードは、前記低消費電力モードである第１の低消費電力モードであって、前記情報処理制御手段の動作を停止させる第１の低消費電力モードと、前記情報処理制御手段を動作させる第２の低消費電力モードとを含み、
前記省エネルギー制御手段は、前記復帰信号に応答して、前記情報処理装置を前記第１の低消費電力モードから前記第２の低消費電力モードに復帰させることを特徴とする請求項１〜４のうちのいずれか一つに記載の情報処理装置。
【請求項７】
端末装置と、
請求項１に記載の情報処理装置であって、無線ＬＡＮを介して前記端末装置に接続された前記情報処理装置とを備える情報処理システム。
【請求項８】
無線ＬＡＮを介して端末装置に接続される情報処理装置であって、アクセスポイント装置として動作し、ＩＥＥＥ８０２．１１規格で定められたフレームを用いて前記端末装置と送受信を行う無線ＬＡＮ通信手段と、前記情報処理装置の動作モードを制御する省エネルギー制御手段とを備える情報処理装置によって実行される情報処理方法であって、
前記無線ＬＡＮ通信手段が、前記情報処理装置が低消費電力モードで動作している場合に、前記ＩＥＥＥ８０２．１１規格で定められた特定のフレームを含む手順を完了したとき、復帰信号を生成するステップと、
前記省エネルギー制御手段が、前記復帰信号に応答して、前記情報処理装置を前記低消費電力モードから復帰させるステップとを備えることを特徴とする情報処理方法。
【発明の詳細な説明】
【技術分野】
【０００１】
本発明は、情報処理装置及び方法、並びに情報処理システムに関する。
【背景技術】
【０００２】
近年、画像形成装置等の情報処理装置に無線ＬＡＮ（Local Area Network）モジュールが搭載されることが一般化している。情報処理装置が無線ＬＡＮモジュールによって無線ＬＡＮに接続されるとき、情報処理装置の低消費電力化はオフィス環境の消費電力低減において大きな課題となっている。
【０００３】
ここで、スマートフォン、タブレット及びＰＣ等の端末装置が無線ＬＡＮを介して情報処理装置と通信する場合、端末装置はステーションとして動作し、情報処理装置の無線ＬＡＮモジュールはアクセスポイントとして動作する。
【０００４】
情報処理装置は、無線ＬＡＮに接続された状態で消費電力を低減するため、装置全体が動作する通常モードに加えて、特定の機能モジュールのみが動作する低消費電力モードを有する。低消費電力モードでは、情報処理装置のメインＣＰＵは動作を停止し、無線ＬＡＮモジュールが無線ＬＡＮ特有のビーコン信号の制御、及び、無線ＬＡＮ特有のパケットの処理を行う。また、無線ＬＡＮモジュールは、端末装置からの特別なパケットを検出したときにメインＣＰＵを起動させる。特別なパケットはマジックパケットと呼ばれ、ＬＡＮ側から低消費電力モードの装置を通常モードに復帰させるパケットである（例えば、特許文献１参照）。
【発明の概要】
【発明が解決しようとする課題】
【０００５】
しかし、特別なパケットを使用する方式では、特別なパケットを端末装置から情報処理装置に送信するため、特別なアプリケーションを端末装置にインストールする必要があった。また、使用者が意識的に特別なパケットの送信タイミング及び送信間隔を制御する必要があった。そのため、使用者は、特別なパケットを使用する方式を簡単に使えないという問題があった。
【０００６】
本発明の目的は、特別なパケットを使用することなく、また、使用者が特別な操作を行うことなく、低消費電力モードから復帰することができる情報処理装置を提供することにある。
【課題を解決するための手段】
【０００７】
本発明の一態様に係る情報処理装置は、
無線ＬＡＮを介して端末装置に接続される情報処理装置であって、
アクセスポイント装置として動作し、ＩＥＥＥ８０２．１１規格で定められたフレームを用いて前記端末装置と送受信を行う無線ＬＡＮ通信手段と、
前記情報処理装置の動作モードを制御する省エネルギー制御手段とを備え、
前記無線ＬＡＮ通信手段は、前記情報処理装置が低消費電力モードで動作している場合に、前記ＩＥＥＥ８０２．１１規格で定められた特定のフレームを含む手順を完了したとき、復帰信号を生成し、
前記省エネルギー制御手段は、前記復帰信号に応答して、前記情報処理装置を前記低消費電力モードから復帰させることを特徴とする。
【発明の効果】
【０００８】
本発明によれば、特別なパケットを使用することなく、また、使用者が特別な操作を行うことなく、低消費電力モードから復帰することができる。
【図面の簡単な説明】
【０００９】
【図１】本発明の実施形態１に係る情報処理システム１００の構成を示すブロック図である。
【図２】図１の情報処理装置１の構成を示すブロック図である。
【図３】図１のスマートフォン７と、図２の無線ＬＡＮモジュール４０と、図２のメインコントローラ１０とによって実行される第１の低消費電力モードから第２の低消費電力モードへの復帰処理を示すタイミングチャートである。
【図４】図２の情報処理装置１によって実行される第１の低消費電力モードから第２の低消費電力モードへの復帰処理を示すフローチャートである。
【図５】図３の変形例１に係るスマートフォン７と、無線ＬＡＮモジュール４０と、メインコントローラ１０とによって実行される第１の低消費電力モードから第２の低消費電力モードへの復帰処理を示すタイミングチャートである。
【図６】図４の変形例１に係る情報処理装置１によって実行される第１の低消費電力モードから第２の低消費電力モードへの復帰処理を示すフローチャートである。
【図７】図３の変形例２に係るスマートフォン７と、無線ＬＡＮモジュール４０と、メインコントローラ１０とによって実行される第１の低消費電力モードから第２の低消費電力モードへの復帰処理を示すタイミングチャートである。
【図８】図４の変形例２に係る情報処理装置１によって実行される第１の低消費電力モードから第２の低消費電力モードへの復帰処理を示すフローチャートである。
【図９】本発明の実施形態２に係る情報処理システム１００Ａの構成を示すブロック図である。
【図１０】図９の情報処理装置１Ａの構成を示すブロック図である。
【図１１】図９のスマートフォン７と、図１０の無線ＬＡＮモジュール４０と、図１０のメインコントローラ１０Ａとによって実行される第１の低消費電力モードから第２の低消費電力モードへの復帰処理を示すタイミングチャートである。
【図１２】図１０の情報処理装置１Ａによって実行される第１の低消費電力モードから第２の低消費電力モードへの復帰処理を示すフローチャートである。
【発明を実施するための形態】
【００１０】
以下、図面を参照して、本発明の実施形態について詳細に説明する。なお、各図面において同一の部分については同一の符号を附すこととする。
【００１１】
実施形態１．
図１は、本発明の実施形態１に係る情報処理システム１００の構成を示すブロック図である。図１において、情報処理システム１００は、情報処理装置１と、ＬＡＮ２と、ＰＣ３と、無線ＬＡＮ５と、スマートフォン７と、公衆回線８と、ファクシミリ装置９とを備える。
【００１２】
図１において、情報処理装置１は、例えばプリンタ機能、スキャナ機能、コピー機能及びファクシミリ機能を有する複合機である。情報処理装置１は、ＬＡＮ２を介してＰＣ３に接続され、無線ＬＡＮ５を介してスマートフォン７に接続され、公衆回線８を介してファクシミリ装置９に接続される。
【００１３】
図２は、図１の情報処理装置１の構成を示すブロック図である。図２において、情報処理装置１は、メインコントローラ１０と、無線ＬＡＮモジュール４０と、スキャナ５０と、プリンタ６０と、ファクシミリコントローラ７０とを備える。
【００１４】
図２において、メインコントローラ１０は、情報処理装置１全体の動作を制御する情報処理制御手段である。メインコントローラ１０は、メインＣＰＵ１１と、ＣＰＵインタフェース制御回路１２と、ＲＯＭ（Read Only Memory）１３と、ＮＶＲＡＭ（Non Volatile Random Access Memory）１４とを備える。メインコントローラ１０はさらに、ローカルバス制御回路１５と、ＲＡＭ１６と、メモリインタフェース制御回路１７と、ハードディスクドライブ１８と、ハードディスクドライブインタフェース制御回路１９とを備える。メインコントローラ１０はさらに、スキャナインタフェース制御回路２０と、画像処理回路２１と、プリンタインタフェース制御回路２２と、ファクシミリインタフェース制御回路２３とを備える。メインコントローラ１０はさらに、ネットワークインタフェース制御回路２４と、ＵＳＢ（Universal Serial Bus）インタフェース制御回路２５と、無線ＬＡＮインタフェース制御回路２６とを備える。メインコントローラ１０はさらに、操作パネル２７と、操作パネルインタフェース制御回路２８と、省エネルギー制御回路２９と、システムバス３０とを備える。
【００１５】
無線ＬＡＮモジュール４０はアクセスポイント装置として動作し、無線ＬＡＮ５を介してスマートフォン７と通信を行う。無線ＬＡＮモジュール４０は、ＳｏＣ（System on a chip）４１と、ＲＯＭ４２と、ＲＡＭ４３と、フレーム検出回路４４と、メディアアクセスコントロール回路（以下、ＭＡＣ回路という。）４５とを備える。無線ＬＡＮモジュール４０はさらに、ベースバンド信号処理回路４６と、ＲＦ（Radio Frequency）回路４７と、アンテナ４８と、バス４９とを備える。
【００１６】
スキャナ５０は、原稿用紙を光学的にスキャンしてデジタル画像データを生成し、当該デジタル画像データをアナログ画像データに変換してメインコントローラ１０に送信する。プリンタ６０は、メインコントローラ１０からプロッタデータを受信し、当該プロッタデータの画像を物理的なイメージとして印刷用紙に形成する。ファクシミリコントローラ７０は、ＩＴＵ−ＴのＧ３ファクシミリ規格で定められたプロトコルフレームの制御、及び、ＰＳＴＮ（Public Switched Telephone Network）等の公衆電話回線網の公衆回線８の制御を行う。ファクシミリコントローラ７０は、メインコントローラ１０からのファクシミリ送信用の画像データを符号化し、公衆回線８を介してファクシミリ装置９に送信する。また、ファクシミリコントローラ７０は、ファクシミリ装置９から公衆回線８を介して受信したデータを復号化し、ファクシミリ受信用の画像データとしてメインコントローラ１０に送信する。
【００１７】
メインＣＰＵ１１は、ＲＯＭ１３に格納されたシステムプログラムを実行することにより、情報処理装置１全体の動作を制御する。また、メインＣＰＵ１１は、ＮＶＲＡＭ１４に格納された情報処理装置１の動作に必要なデータを取得する。また、メインＣＰＵ１１は、ＲＡＭ１６をプログラム実行時のワークエリアとして利用する。
【００１８】
ＲＡＭ１６は、各種画像データ及びプロッタデータ等を格納する。各種画像データは、スキャナ５０からの画像データ、ファクシミリ送受信用の画像データ、ＰＣ６からＬＡＮ２を介して受信する画像データ、及び、スマートフォン７から無線ＬＡＮ５を介して受信する画像データを含む。各種画像データはさらに、ＵＳＢインタフェースを用いて情報処理装置１に接続されるＵＳＢデバイスからの画像データ等を含む。メモリインタフェース制御回路１７は、ＤＤＲ（Double Data Rate）−ＳＤＲＡＭ（Synchronous Dynamic Random Access Memory）等のＲＡＭ１６のメモリバスの制御信号を用いる。メモリインタフェース制御回路１７は、当該制御信号を用いて、ＲＡＭ１６への各種画像データ及びプロッタデータ等の格納、及び、ＲＡＭ１６からの各種画像データ及びプロッタデータ等の読み出しを制御する。
【００１９】
ハードディスクドライブ１８は、ユーザによって操作パネル２７を用いて登録される宛先データを格納し、各種画像データを再利用のために格納する。当該宛先データ及び画像データは一旦ＲＡＭ１６に格納されるため、ハードディスクドライブインタフェース制御回路１９は、当該宛先データ及び画像データをメモリインタフェース制御回路１７及びシステムバス３０を介してハードディスクドライブ１８に格納する。また、ハードディスクドライブインタフェース制御回路１９は、ハードディスクドライブ１８に格納された宛先データ及び画像データをシステムバス３０及び操作パネルインタフェース制御回路２８を介してＲＡＭ１６に転送する。
【００２０】
スキャナインタフェース制御回路２０は、スキャナ５０からの画像データをシステムバス３０を介して画像処理回路２１に転送する。また、スキャナインタフェース制御回路２０は、スキャナ５０のモータの制御、及び、ＣＣＤ（Charge Coupled Device）又はＣＩＳ（Contact Image Sensor）等のイメージセンサの制御を行う。スキャナインタフェース制御回路２０はさらに、デジタル／アナログ変換の制御等を行う。
【００２１】
画像処理回路２１は、スキャナインタフェース制御回路２０からシステムバス３０を介して受信する画像データにデータ処理を施し、システムバス３０及びメモリインタフェース制御回路１７を介してＲＡＭ１６に格納する。当該データ処理は、シェーディング補正、ドット補正、γ補正、色空間変換及び変倍処理等を含む。画像処理回路２１は、ＲＡＭ１６からメモリインタフェース制御回路１７及びシステムバス３０を介して読み出された画像データにデータ処理を施し、プロッタデータとしてシステムバス３０及びメモリインタフェース制御回路１７を介してＲＡＭ１６に格納する。当該データ処理は、回転処理、圧縮処理、伸張処理、変倍処理及び階調処理等を含む。
【００２２】
プリンタインタフェース制御回路２２は、ＲＡＭ１６からメモリインタフェース制御回路１７及びシステムバス３０を介して受信するプロッタデータを、プリンタ６０に転送する。ファクシミリインタフェース制御回路２３は、ＲＡＭ１６に格納されたファクシミリ送信用の画像データを、メモリインタフェース制御回路１７及びシステムバス３０を介して読み出し、ファクシミリコントローラ７０に転送する。また、ファクシミリインタフェース制御回路２３は、ファクシミリコントローラ７０からのファクシミリ受信用の画像データを、システムバス３０及びメモリインタフェース制御回路１７を介してＲＡＭ１６へ転送する。
【００２３】
ネットワークインタフェース制御回路２４は、ＬＡＮ２を介してＰＣ３とのデータの送受信を制御し、ＵＳＢインタフェース制御回路２５は、ＵＳＢデバイスとのデータの送受信を制御する。無線ＬＡＮインタフェース制御回路２６は、例えば、ＳＤＩＯ（Secure Digital Input Output）インタフェース等を用いて無線ＬＡＮモジュール４０に接続され、無線ＬＡＮモジュール４０とのデータの送受信を制御する。
【００２４】
操作パネル２７は、プリンタ機能と、スキャナ機能と、コピー機能と、ファクシミリ機能と、ネットワークを介したデータ送受信機能とに必要な各種キー、スイッチを備える。操作パネル２７は、各種キー及びスイッチの操作情報を操作パネルインタフェース制御回路２８、システムバス３０及びＣＰＵインタフェース制御回路１２を介してメインＣＰＵ１１に送信する。また、操作パネル２７は、表示部を有し、情報処理装置１の動作状態等を含む表示情報をメインＣＰＵ１１からＣＰＵインタフェース制御回路１２、システムバス３０及び操作パネルインタフェース制御回路２８を介して受信し、当該表示情報を表示部に表示する。
【００２５】
ここで、情報処理装置１は以下の動作モードを有する。
（１）通常モード：
通常モードでは、情報処理装置１全体が動作する。
（２）第１の低消費電力モード：
第１の低消費電力モードでは、省エネルギー制御回路２９は、スキャナ５０と、プリンタ６０と、ファクシミリコントローラ７０との動作を停止させる。第１の低消費電力モードではさらに、メインコントローラ１０の省エネルギー制御回路２９及び無線ＬＡＮインタフェース制御回路２６を除く構成部分の動作を停止させる。
（３）第２の低消費電力モード：
第２の低消費電力モードでは、省エネルギー制御回路２９は、スキャナ５０と、プリンタ６０と、ファクシミリコントローラ７０との動作を停止させる。一方、省エネルギー制御回路２９は、メインコントローラ１０全体を動作させる。
【００２６】
なお、第１及び第２の低消費電力モードにおいて、省エネルギー制御回路２９、無線ＬＡＮインタフェース制御回路２６、及び、無線ＬＡＮモジュール４０は常に動作する。
【００２７】
省エネルギー制御回路２９は、第１の低消費電力モードにおいて、無線ＬＡＮモジュール４０のＳｏＣ４１から無線ＬＡＮインタフェース制御回路２６を介して復帰信号（Wake Up Interrupt）を受信する。このとき、省エネルギー制御回路２９は、無線ＬＡＮモジュール４０のフレーム検出回路４４から起動信号を受信する。省エネルギー制御回路２９は、当該復帰信号及び起動信号に応答して、第１の低消費電力モードから第２の低消費電力モードへの復帰制御を行う。このとき、省エネルギー制御回路２９は、メインコントローラ１０を起動させる。例えば、省エネルギー制御回路２９は、復帰のためのシーケンス制御を開始し、メインコントローラ１０への電力供給を開始する。その後、メモリインタフェース制御回路１７は、セルフリフレッシュモードを解除してＲＡＭ１６を起動させ、ＣＰＵインタフェース制御回路１２は、スリープモードを解除してメインＣＰＵ１１を起動させる。なお、省エネルギー制御回路２９は、例えば低消費電力で動作することができるＧＰＩＯ（General Purpose Input Output）インタフェースを用いて、復帰信号及び起動信号を無線ＬＡＮモジュール４０から受信する。
【００２８】
ＳｏＣ４１は、ＲＯＭ４２に格納されたプログラムを実行することにより、無線ＬＡＮモジュール４０全体の制御を行う。なお、ＳｏＣ４１は、ＲＡＭ４３をプログラム実行時のワークエリアとして利用する。ＳｏＣ４１は、ＩＥＥＥ８０２．１１規格に準拠したフレームの送受信を行う。ＩＥＥＥ８０２．１１規格に準拠したフレームは、ビーコンフレーム、プローブ要求フレーム、プローブ応答フレーム、認証（Authentication）フレーム、アソシエーション要求フレーム及びアソシエーション応答フレーム等の管理フレームを含む。また、ＩＥＥＥ８０２．１１規格に準拠したフレームはさらに、確認応答（Ack）フレーム等の制御フレームを含む。
【００２９】
また、ＳｏＣ４１は、スマートフォン７から受信するフレームにおいて、ＴＣＰ／ＩＰ又はＵＤＰ等のネットワークプロトコルの処理を行う。また、ＳｏＣ４１は、第１の低消費電力モードにおいて、ＴＣＰ／ＩＰ又はＵＤＰ等のネットワークプロトコルを解析し、情報処理装置１を第１の低消費電力モードから第２の低消費電力モードに復帰させるための復帰要因を検出する。復帰要因は、後述する図３及び図４の認証手順及び接続手順を完了したことである。ＳｏＣ４１は、当該復帰要因を検出したとき、情報処理装置１を第１の低消費電力モードから第２の低消費電力モードに復帰させるための復帰信号を無線ＬＡＮインタフェース制御回路２６を介して省エネルギー制御回路２９及びメインＣＰＵ１１に送信する。
【００３０】
フレーム検出回路４４は、スマートフォン７から受信するフレームを順次に検出し、第１の低消費電力モードにおいて、後述する図３及び図４の認証手順及び接続手順で受信するフレームを特定フレームとして順次に検出する。例えば、フレーム検出回路４４は、認証手順において受信する認証フレーム、及び、認証フレームに対する確認応答フレームを順次に検出する。その後、フレーム検出回路４４は、接続手順において受信するアソシエーション要求フレーム、及び、アソシエーション応答フレームに対する確認応答フレームを順次に検出する。フレーム検出回路４４は、当該アソシエーション応答フレームに対する確認応答フレームを検出したとき、情報処理装置１を第１の低消費電力モードから第２の低消費電力モードに復帰させるための起動信号を省エネルギー制御回路２９に送信する。
【００３１】
ＭＡＣ回路４５はＳｏＣ４１からの送信フレームの送信、及び、スマートフォン７からの受信フレームの受信を制御する。ベースバンド信号処理回路４６はＭＡＣ回路４５からの送信フレームを変調し、ＲＦ回路４７は変調された信号を無線周波数にアップコンバートし、電力増幅した後にアンテナ４８及び無線ＬＡＮ５を介してスマートフォン７に送信する。一方、ＲＦ回路４７はスマートフォン７から無線ＬＡＮ５及びアンテナ４８を介して受信した受信信号を増幅した後にダウンコンバートし、ベースバンド信号処理回路４６はダウンコンバートされた信号を復調して、ＭＡＣ回路４５に送信する。
【００３２】
図３は、図１のスマートフォン７と、図２の無線ＬＡＮモジュール４０と、図２のメインコントローラ１０とによって実行される第１の低消費電力モードから第２の低消費電力モードへの復帰処理を示すタイミングチャートである。図３及び後述する図４の初期状態において、情報処理装置１は第１の低消費電力モードで動作している。
【００３３】
図３において、まず、無線ＬＡＮモジュール４０はアクセスポイント装置として動作し、パッシブスキャンを行う。このとき、無線ＬＡＮモジュール４０のＳｏＣ４１は、無線ＬＡＮモジュール４０のＳＳＩＤ（Service Set Identifier）を含むビーコンフレームを所定の周期で周期的に送信する。
【００３４】
次いで、スマートフォン７はビーコンフレームを無線ＬＡＮモジュール４０から受信したとき、認証フレームを無線ＬＡＮモジュール４０に送信し、無線ＬＡＮモジュール４０との認証手順を開始する。次いで、無線ＬＡＮモジュール４０のＳｏＣ４１は認証フレームをスマートフォン７から受信したとき、認証フレームに対する確認応答（Ack）フレームをスマートフォン７に送信した後、認証フレームをスマートフォン７に送信する。次いで、スマートフォン７は認証フレームを無線ＬＡＮモジュール４０から受信したとき、認証フレームに対する確認応答フレームを無線ＬＡＮモジュール４０に送信し、認証手順を完了する。
【００３５】
次いで、スマートフォン７はアソシエーション要求フレームを無線ＬＡＮモジュール４０に送信し、無線ＬＡＮモジュール４０との接続手順を開始する。次いで、無線ＬＡＮモジュール４０のＳｏＣ４１はアソシエーション要求フレームをスマートフォン７から受信したとき、アソシエーション要求フレームに対する確認応答（Ack）フレームをスマートフォン７に送信する。次いで、無線ＬＡＮモジュール４０のＳｏＣ４１はアソシエーション応答フレームをスマートフォン７に送信し、接続許可応答を行う。次いで、スマートフォン７は無線ＬＡＮモジュール４０からアソシエーション応答フレームを受信したとき、アソシエーション応答フレームに対する確認応答フレームを無線ＬＡＮモジュール４０に送信し、接続手順を完了する。
【００３６】
次いで、無線ＬＡＮモジュール４０のＳｏＣ４１は、認証手順及び接続手順を完了したことを復帰要因として検出し、復帰信号をメインコントローラ１０の省エネルギー制御回路２９に送信する。なお、フレーム検出回路４４は、認証手順及び接続手順で受信したフレームを順次に検出しており、アソシエーション応答フレームに対する確認応答フレームを検出したとき、起動信号を省エネルギー制御回路２９に送信する。省エネルギー制御回路２９は当該復帰信号及び起動信号に応答して、メインコントローラ１０を起動させ、情報処理装置１を第１の低消費電力モードから第２の低消費電力モードへ復帰させる。その後、メインコントローラ１０のメインＣＰＵ１１は、無線ＬＡＮモジュール４０を介してスマートフォン７との間でデータ通信を行う。
【００３７】
図４は、図２の情報処理装置１によって実行される第１の低消費電力モードから第２の低消費電力モードへの復帰処理を示すフローチャートである。
【００３８】
図４において、まず、ステップＳ１において、上述したように、無線ＬＡＮモジュール４０のＳｏＣ４１はビーコンフレームを所定の周期で周期的に送信する。次いで、ステップＳ２において、無線ＬＡＮモジュール４０のＳｏＣ４１は認証フレームをスマートフォン７から受信したか否かを判断する。ステップＳ２でＹＥＳのときステップＳ４に進む。一方、ステップＳ２でＮＯのとき、ステップＳ３に進み、無線ＬＡＮモジュール４０のＳｏＣ４１はビーコンフレームを送信してから所定時間経過したか否かを判断し、ＮＯのときステップＳ２に戻り、ＹＥＳのときステップＳ１に戻る。
【００３９】
次いで、ステップＳ４において、無線ＬＡＮモジュール４０のＳｏＣ４１は認証フレームに対する確認応答（Ack）フレームをスマートフォン７に送信した後、ステップＳ５において、認証フレームをスマートフォン７に送信し、ステップＳ６に進む。
【００４０】
次いで、ステップＳ６において、無線ＬＡＮモジュール４０のＳｏＣ４１は認証フレームに対する確認応答（Ack）フレームをスマートフォン７から受信したか否かを判断する。ステップＳ６でＹＥＳのとき、認証手順を終了して、ステップＳ８に進む。一方、ステップＳ６でＮＯのとき、ステップＳ７に進み、無線ＬＡＮモジュール４０のＳｏＣ４１は認証フレームを送信してから所定時間経過したか否かを判断し、ＮＯのときステップＳ６に戻り、ＹＥＳのときステップＳ１に戻る。
【００４１】
次いで、ステップＳ８において、無線ＬＡＮモジュール４０のＳｏＣ４１はアソシエーション要求フレームをスマートフォン７から受信したか否かを判断する。次いで、ステップＳ８でＹＥＳのとき、無線ＬＡＮモジュール４０のＳｏＣ４１は接続要求をスマートフォン７から受信したと判断し、ステップＳ１０に進む。一方、ステップＳ８でＮＯのとき、ステップＳ９に進み、無線ＬＡＮモジュール４０のＳｏＣ４１は認証フレームに対する確認応答フレームを受信してから所定時間経過したか否かを判断し、ＮＯのときステップＳ８に戻り、ＹＥＳのときステップＳ１に戻る。
【００４２】
次いで、ステップＳ１０において、無線ＬＡＮモジュール４０のＳｏＣ４１はアソシエーション要求フレームに対する確認応答（Ack）フレームをスマートフォン７に送信する。次いで、ステップＳ１１において、無線ＬＡＮモジュール４０のＳｏＣ４１はアソシエーション応答フレームをスマートフォン７に送信し、接続許可応答を行い、ステップＳ１２に進む。
【００４３】
次いで、ステップＳ１２において、無線ＬＡＮモジュール４０のＳｏＣ４１はアソシエーション応答フレームに対する確認応答（Ack）フレームをスマートフォン７から受信したか否かを判断する。ステップＳ１２でＹＥＳのとき、無線ＬＡＮモジュール４０のＳｏＣ４１は接続手順を終了して、ステップＳ１４に進む。一方、ステップＳ１２でＮＯのとき、ステップＳ１３に進み、無線ＬＡＮモジュール４０のＳｏＣ４１はアソシエーション応答フレームを送信してから所定時間経過したか否かを判断し、ＮＯのときステップＳ１２に戻り、ＹＥＳのときステップＳ１に戻る。
【００４４】
次いで、ステップＳ１４において、無線ＬＡＮモジュール４０のＳｏＣ４１は、認証手順及び接続手順を完了したことを復帰要因として検出し、復帰信号をメインコントローラ１０の省エネルギー制御回路２９に送信する。また、フレーム検出回路４４は、認証手順及び接続手順で受信したフレームを順次に検出しており、アソシエーション応答フレームに対する確認応答フレームを検出したとき、起動信号を省エネルギー制御回路２９に送信する。省エネルギー制御回路２９は当該復帰信号及び起動信号に応答して、メインコントローラ１０を起動させ、情報処理装置１を第１の低消費電力モードから第２の低消費電力モードへ復帰させる。
【００４５】
以上説明したように、無線ＬＡＮモジュール４０のＳｏＣ４１は、第１の低消費電力モードにおいて、認証手順及び接続手順を完了したことを復帰要因として検出し、復帰信号を省エネルギー制御回路２９に送信する（図４のＳ１４）。また、フレーム検出回路４４は、認証手順及び接続手順で受信したフレームを順次に検出しており、アソシエーション応答フレームに対する確認応答フレームを検出したとき、起動信号を省エネルギー制御回路２９に送信する。省エネルギー制御回路２９は当該復帰信号及び起動信号に応答して、メインコントローラ１０を起動させ、情報処理装置１を第１の低消費電力モードから第２の低消費電力モードに復帰させる（図４のＳ１４）。したがって、情報処理装置１によれば、第１の低消費電力モードから第２の低消費電力モードに復帰するための特別なパケットを使用することなく、使用者が特別な操作を行うことなく、第１の低消費電力モードから第２の低消費電力モードに復帰することができる。
【００４６】
また、実施形態１の情報処理装置１によれば、第１の低消費電力モードから第２の低消費電力モードに復帰することにより、第２の低消費電力モードを維持したままメインコントローラ１０だけで動作可能な機能を提供することができる。
【００４７】
また、実施形態１の情報処理装置１によれば、例えば、無線ＬＡＮモジュール４０が送信する電波の範囲外にスマートフォン７が出たときに、第１の低消費電力モードで動作し、消費電力を低減することができる。また、実施形態１の情報処理装置１によれば、夜間に使用者が例えば無線ＬＡＮ５があるオフィスから帰宅してスマートフォン７を持ち帰ったとき等に、第１の低消費電力モードで動作し、消費電力を低減することができる。
【００４８】
変形例１．
実施形態１では、ＳｏＣ４１は、認証手順及び接続手順を完了したことを復帰要因として検出したが、変形例１では、ＳｏＣ４１は、認証手順を完了したことを復帰要因として検出することを特徴とする。
【００４９】
図５は、図３の変形例１に係るスマートフォン７と、無線ＬＡＮモジュール４０と、メインコントローラ１０とによって実行される第１の低消費電力モードから第２の低消費電力モードへの復帰処理を示すタイミングチャートである。図５及び後述する図６の初期状態において、情報処理装置１は第１の低消費電力モードで動作している。
【００５０】
図５において、上述したように、無線ＬＡＮモジュール４０がビーコンフレームを送信した後、スマートフォン７及び無線ＬＡＮモジュール４０は認証フレーム及びその確認応答フレームの処理を行い、認証手順を完了する。
【００５１】
次いで、無線ＬＡＮモジュール４０のＳｏＣ４１は、認証手順を完了したことを復帰要因として検出し、復帰信号をメインコントローラ１０の省エネルギー制御回路２９に送信する。なお、フレーム検出回路４４は、認証手順で受信したフレームを順次に検出しており、認証フレームに対する確認応答フレームを検出したとき、起動信号を省エネルギー制御回路２９に送信する。省エネルギー制御回路２９は、当該復帰信号及び起動信号に応答して、メインコントローラ１０を起動させ、情報処理装置１を第１の低消費電力モードから第２の低消費電力モードへ復帰させる。その後、メインコントローラ１０のメインＣＰＵ１１は、無線ＬＡＮモジュール４０を介してスマートフォン７と通信する。
【００５２】
次いで、スマートフォン７はアソシエーション要求フレームを無線ＬＡＮモジュール４０に送信し、無線ＬＡＮモジュール４０との接続手順を開始する。このとき、メインコントローラ１０のメインＣＰＵ１１はアソシエーション要求フレームを無線ＬＡＮモジュール４０を介して受信する。次いで、メインコントローラ１０のメインＣＰＵ１１はアソシエーション要求フレームに対する確認応答フレームを無線ＬＡＮモジュール４０を介してスマートフォン７に送信する。次いで、メインコントローラ１０のメインＣＰＵ１１はアソシエーション応答フレームを無線ＬＡＮモジュール４０を介してスマートフォン７に送信し、接続許可応答を行う。次いで、スマートフォン７はアソシエーション応答フレームに対する確認応答フレームを無線ＬＡＮモジュール４０に送信する。このとき、メインコントローラ１０のメインＣＰＵ１１はアソシエーション応答フレームに対する確認応答フレームを無線ＬＡＮモジュール４０を介して受信し、接続手順を終了する。その後、メインＣＰＵ１１は、データフレーム及び確認応答フレームの送受信を、無線ＬＡＮモジュール４０を介してスマートフォン７と行う。
【００５３】
図６は、図４の変形例１に係る情報処理装置１によって実行される第１の低消費電力モードから第２の低消費電力モードへの復帰処理を示すフローチャートである。図６において、ステップＳ１〜ステップＳ７の処理はそれぞれ、図４のステップＳ１〜ステップＳ７の処理と同一である。
【００５４】
次いで、ステップＳ６でＹＥＳのとき、ステップＳ１０８において、無線ＬＡＮモジュール４０のＳｏＣ４１は、認証手順を完了したことを復帰要因として検出し、復帰信号をメインコントローラ１０の省エネルギー制御回路２９に送信する。また、フレーム検出回路４４は、認証手順で受信したフレームを順次に検出しており、認証フレームに対する確認応答フレームを検出したとき、起動信号を省エネルギー制御回路２９に送信する。省エネルギー制御回路２９は、当該復帰信号及び起動信号に応答して、メインコントローラ１０を起動させ、情報処理装置１を第１の低消費電力モードから第２の低消費電力モードへ復帰させる。
【００５５】
当該変形例１によれば、メインコントローラ１０のメインＣＰＵ１１が接続手順の処理を行うので、無線ＬＡＮモジュール４０が行う処理を削減することができ、無線ＬＡＮモジュール４０のＳｏＣ４１の負荷を低減することができる。
【００５６】
変形例２．
実施形態１では、ＳｏＣ４１は、認証手順及び接続手順を完了したことを復帰要因として検出したが、変形例２では、ＳｏＣ４１は、プローブ要求の手順を受けたことを復帰要因として検出することを特徴とする。
【００５７】
図７は、図３の変形例２に係るスマートフォン７と、無線ＬＡＮモジュール４０と、メインコントローラ１０とによって実行される第１の低消費電力モードから第２の低消費電力モードへの復帰処理を示すタイミングチャートである。図７及び後述する図８の初期状態において、情報処理装置１は第１の低消費電力モードで動作している。
【００５８】
図７において、まず、スマートフォン７はビーコンフレームを情報処理装置１から所定時間受信しないときにアクティブスキャンを行う。このとき、スマートフォン７はプローブ要求フレームを送信し、接続したい無線ＬＡＮモジュール４０のＳＳＩＤをブロードキャストする。次いで、無線ＬＡＮモジュール４０のＳｏＣ４１はスマートフォン７からのプローブ要求フレームのＳＳＩＤが無線ＬＡＮモジュール４０のＳＳＩＤと一致したとき、プローブ応答フレームをスマートフォン７に送信する。
【００５９】
次いで、無線ＬＡＮモジュール４０のＳｏＣ４１は、プローブ要求の手順を受けたことを復帰要因として検出し、復帰信号をメインコントローラ１０の省エネルギー制御回路２９に送信する。また、フレーム検出回路４４は、プローブ要求で受信したフレームを検出しており、プローブ要求フレームを検出したときに起動信号を省エネルギー制御回路２９に送信する。省エネルギー制御回路２９は当該復帰信号及び起動信号に応答して、メインコントローラ１０を起動させ、情報処理装置１を第１の低消費電力モードから第２の低消費電力モードへ復帰させる。その後、メインコントローラ１０のメインＣＰＵ１１は、無線ＬＡＮモジュール４０を介してスマートフォン７と通信する。
【００６０】
次いで、スマートフォン７は認証フレームを無線ＬＡＮモジュール４０に送信し、無線ＬＡＮモジュール４０との認証手順を開始する。このとき、メインコントローラ１０のメインＣＰＵ１１は認証フレームを無線ＬＡＮモジュール４０を介して受信する。次いで、メインコントローラ１０のメインＣＰＵ１１は認証フレームに対する確認応答フレームを無線ＬＡＮモジュール４０を介してスマートフォン７に送信する。次いで、メインコントローラ１０のメインＣＰＵ１１は認証フレームを無線ＬＡＮモジュール４０を介してスマートフォン７に送信する。次いで、スマートフォン７は認証フレームに対する確認応答フレームを無線ＬＡＮモジュール４０に送信する。このとき、メインコントローラ１０のメインＣＰＵ１１は認証フレームに対する確認応答フレームを無線ＬＡＮモジュール４０を介して受信し、認証手順を終了する。
【００６１】
次いで、スマートフォン７はアソシエーション要求フレームを無線ＬＡＮモジュール４０に送信し、無線ＬＡＮモジュール４０との接続手順を開始する。このとき、メインコントローラ１０のメインＣＰＵ１１はアソシエーション要求フレームを無線ＬＡＮモジュール４０を介して受信する。次いで、メインコントローラ１０のメインＣＰＵ１１はアソシエーション要求フレームに対する確認応答フレームを無線ＬＡＮモジュール４０を介してスマートフォン７に送信する。次いで、メインコントローラ１０のメインＣＰＵ１１はアソシエーション応答フレームを無線ＬＡＮモジュール４０を介してスマートフォン７に送信し、接続許可応答を行う。次いで、スマートフォン７はアソシエーション応答フレームに対する確認応答フレームを無線ＬＡＮモジュール４０に送信する。このとき、メインコントローラ１０のメインＣＰＵ１１はアソシエーション応答フレームに対する確認応答フレームを無線ＬＡＮモジュール４０を介して受信し、接続手順を終了する。その後、メインＣＰＵ１１は、データフレーム及び確認応答フレームの送受信を、無線ＬＡＮモジュール４０を介してスマートフォン７と行う。
【００６２】
図８は、図４の変形例２に係る情報処理装置１によって実行される第１の低消費電力モードから第２の低消費電力モードへの復帰処理を示すフローチャートである。図８において、まず、ステップＳ２０１において、無線ＬＡＮモジュール４０のＳｏＣ４１はプローブ要求フレームをスマートフォン７から受信したか否かを判断する。ステップＳ２０１でＹＥＳのとき、無線ＬＡＮモジュール４０のＳｏＣ４１はスマートフォン７からのプローブ要求フレームのＳＳＩＤが無線ＬＡＮモジュール４０のＳＳＩＤと一致したと判断し、ステップＳ２０２に進む。一方、ステップＳ２０１でＮＯのときステップＳ２０１に戻る。
【００６３】
次いで、ステップＳ２０２において、無線ＬＡＮモジュール４０のＳｏＣ４１はプローブ応答フレームを無線ＬＡＮ５を介してスマートフォン７に送信する。次いで、ステップＳ２０３において、無線ＬＡＮモジュール４０のＳｏＣ４１は、プローブ要求の手順を受けたことを復帰要因として検出し、復帰信号をメインコントローラ１０の省エネルギー制御回路２９に送信する。また、フレーム検出回路４４は、プローブ要求で受信したフレームを検出しており、プローブ要求フレームを検出したときに起動信号を省エネルギー制御回路２９に送信する。省エネルギー制御回路２９は当該復帰信号及び起動信号に応答して、メインコントローラ１０を起動させ、情報処理装置１を第１の低消費電力モードから第２の低消費電力モードへ復帰させる。
【００６４】
当該変形例２によれば、メインコントローラ１０のメインＣＰＵ１１が認証手順及び接続手順の処理を行うので、無線ＬＡＮモジュール４０が行う処理を削減することができ、無線ＬＡＮモジュール４０のＳｏＣ４１の負荷を低減することができる。
【００６５】
実施形態２．
図９は、本発明の実施形態２に係る情報処理システム１００Ａの構成を示すブロック図である。図９において、情報処理システム１００Ａは、図１に示す情報処理システム１００において情報処理装置１に代えて情報処理装置１Ａを備える。
【００６６】
図１０は、図９の情報処理装置１Ａの構成を示すブロック図である。図１０において、情報処理装置１Ａは、図２に示す情報処理装置１においてメインコントローラ１０に代えてメインコントローラ１０Ａを備える。メインコントローラ１０Ａは、図２に示すメインコントローラ１０において操作パネル２７に代えて操作パネル２７Ａを備え、無線ＬＡＮインタフェース制御回路２６を操作パネル２７Ａ内に備える。
【００６７】
図１０において、操作パネル２７Ａは、ＳｏＣ３１と、無線ＬＡＮインタフェース制御回路２６と、省エネルギー制御回路１９とは別の省エネルギー制御手段である省エネルギー制御回路３２とを備える。ＳｏＣ３１は、メインＣＰＵ１１と通信し、操作パネル２７Ａ全体を制御する。
【００６８】
ここで、情報処理装置１Ａは、上述の（１）通常モードに加えて、上述の（２）第１の低消費電力モード及び（３）第２の低消費電力モードに代えて、以下の動作モードを有する。
（１）通常モード：
通常モードでは、情報処理装置１全体が動作する。
（２）第１の低消費電力モード：
第１の低消費電力モードでは、省エネルギー制御回路２９は、スキャナ５０と、プリンタ６０と、ファクシミリコントローラ７０と、メインコントローラ１０Ａの省エネルギー制御回路２９及び操作パネル２７Ａを除く構成部分との動作を停止させる。また、省エネルギー制御回路３２は、メインコントローラ１０Ａの操作パネル２７Ａ内のＳｏＣ３１の動作を停止させる。
（３）第２の低消費電力モード：
第２の低消費電力モードでは、省エネルギー制御回路２９は、スキャナ５０と、プリンタ６０と、ファクシミリコントローラ７０との動作を停止させる。一方、省エネルギー制御回路２９は、メインコントローラ１０Ａ全体を動作させる。
（４）第３の低消費電力モード：
第３の低消費電力モードでは、省エネルギー制御回路２９は、スキャナ５０と、プリンタ６０と、ファクシミリコントローラ７０と、メインコントローラ１０Ａの省エネルギー制御回路２９及び操作パネル２７Ａを除く構成部分との動作を停止させる。一方、操作パネル２７Ａ内の省エネルギー制御回路３２は、操作パネル２７Ａ内のＳｏＣ３１を動作させる。
【００６９】
なお、第１、第２及び第３の低消費電力モードにおいて、省エネルギー制御回路２９と、操作パネル２７Ａ内の省エネルギー制御回路３２及び無線ＬＡＮインタフェース制御回路２６と、無線ＬＡＮモジュール４０とは常に動作する。
【００７０】
省エネルギー制御回路３２は、第１の低消費電力モードにおいて、無線ＬＡＮモジュール４０のＳｏＣ４１から無線ＬＡＮインタフェース制御回路２６を介して復帰信号を受信する。このとき、省エネルギー制御回路３２は、無線ＬＡＮモジュール４０のフレーム検出回路４４から起動信号を受信する。省エネルギー制御回路３２は、当該復帰信号及び起動信号に応答して、第１の低消費電力モードから第３の低消費電力モードへの復帰制御を行う。このとき、省エネルギー制御回路３２は、操作パネル２７ＡのＳｏＣ３１を起動させる。また、省エネルギー制御回路３２は、メインコントローラ１０Ａを起動させるための復帰信号を省エネルギー制御回路２９に送信する。また、省エネルギー制御回路３２は、操作パネル２７Ａの各種キー、スイッチが操作されたときに、操作パネル２７Ａを復帰させ、情報処理装置１Ａを第１の低消費電力モードから第３の低消費電力モードに復帰させてもよい。
【００７１】
図１１は、図９のスマートフォン７と、図１０の無線ＬＡＮモジュール４０と、図１０のメインコントローラ１０Ａとによって実行される第１の低消費電力モードから第２の低消費電力モードへの復帰処理を示すタイミングチャートである。図１１及び後述する図１２の初期状態において、情報処理装置１は第１の低消費電力モードで動作している。
【００７２】
図１１において、上述したように、無線ＬＡＮモジュール４０がビーコンフレームを送信した後、スマートフォン７及び無線ＬＡＮモジュール４０は認証フレーム及びその確認応答フレームの処理を行い、認証手順を完了する。その後、スマートフォン７及び無線ＬＡＮモジュール４０は、アソシエーション要求フレーム及びその確認応答フレーム、アソシエーション応答フレーム及びその確認応答フレームの処理を行い、接続手順を完了する。
【００７３】
次いで、無線ＬＡＮモジュール４０のＳｏＣ４１は、認証手順及び接続手順を完了したことを復帰要因として検出し、復帰信号をメインコントローラ１０Ａの操作パネル２７Ａ内の省エネルギー制御回路３２に送信する。また、フレーム検出回路４４は、認証手順及び接続手順で受信したフレームを順次に検出しており、アソシエーション応答フレームに対する確認応答フレームを検出したとき、起動信号を省エネルギー制御回路３２に送信する。省エネルギー制御回路３２は当該復帰信号及び起動信号に応答して、操作パネル２７Ａを起動させ、情報処理装置１Ａを第１の低消費電力モードから第３の低消費電力モードへ復帰させる。
【００７４】
次いで、操作パネル２７ＡのＳｏＣ３１はメインコントローラ１０Ａを起動させるか否かを判断する。操作パネル２７ＡのＳｏＣ３１がメインコントローラ１０Ａを起動させると判断したとき、操作パネル２７Ａ内の省エネルギー制御回路３２は復帰信号を省エネルギー制御回路２９に送信する。省エネルギー制御回路２９は当該復帰信号に応答して、メインコントローラ１０Ａを起動させ、情報処理装置１Ａを第３の低消費電力モードから第２の低消費電力モードへ復帰させる。
【００７５】
その後、メインコントローラ１０Ａの操作パネル２７Ａ内のＳｏＣ３１はデータフレーム及び確認応答フレームの送受信を、無線ＬＡＮモジュール４０を介してスマートフォン７と行う。
【００７６】
図１２は、図１０の情報処理装置１Ａによって実行される第１の低消費電力モードから第２の低消費電力モードへの復帰処理を示すフローチャートである。図１２において、ステップＳ１〜ステップＳ１３の処理は、図４のステップＳ１〜ステップＳ１３の処理と同一である。
【００７７】
次いで、ステップＳ１２でＹＥＳのとき、ステップＳ３１４において、無線ＬＡＮモジュール４０のＳｏＣ４１は、認証手順及び接続手順を完了したことを復帰要因として検出し、復帰信号を操作パネル２７Ａ内の省エネルギー制御回路３２に送信する。また、フレーム検出回路４４は、認証手順及び接続手順で受信したフレームを順次に検出しており、アソシエーション応答フレームに対する確認応答フレームを検出したとき、起動信号を省エネルギー制御回路３２に送信する。省エネルギー制御回路３２は当該復帰信号及び起動信号に応答して、操作パネル２７Ａを起動させ、情報処理装置１Ａを第１の低消費電力モードから第３の低消費電力モードへ復帰させる。
【００７８】
以上説明したように、無線ＬＡＮモジュール４０のＳｏＣ４１は、第１の低消費電力モードにおいて、認証手順及び接続手順を完了したことを復帰要因として検出し、復帰信号を省エネルギー制御回路３２に送信する（図１２のＳ３１４）。また、フレーム検出回路４４は、認証手順及び接続手順で受信したフレームを順次に検出しており、アソシエーション応答フレームに対する確認応答フレームを検出したとき、起動信号を省エネルギー制御回路３２に送信する。省エネルギー制御回路３２は当該復帰信号及び起動信号に応答して操作パネル２７Ａを起動させ、情報処理装置１を第１の低消費電力モードから第３の低消費電力モードに復帰させる（図１２のＳ３１４）。当該情報処理装置１Ａによれば、第１の低消費電力モードから第３の低消費電力モードに復帰するための特別なパケットを使用することなく、使用者が特別な操作を行うことなく、第１の低消費電力モードから第３の低消費電力モードに復帰することができる。
【００７９】
また、実施形態２の情報処理装置１Ａによれば、第１の低消費電力モードから第３の低消費電力モードに復帰することにより、第３の低消費電力モードを維持したまま、操作パネル２７Ａだけで動作可能な機能を提供することができる。
【００８０】
なお、本発明は上記した本実施形態に限定されることなく種々の変形が可能である。例えば、情報処理装置１，１Ａはさらに、人感センサを備えていてもよい。例えば、情報処理装置１，１Ａは、人感センサが所定の範囲内のユーザを検出し、かつ、復帰要因及び特定のフレームを検出したときに、第１の低消費電力モードから第２又は第３の低消費電力モードに復帰してもよい。これによれば、例えば夜間にスマートフォン７をオフィスに置い使用者が帰宅しても、情報処理装置１，１Ａが、第１の低消費電力モードから第２又は第３の低消費電力モードに復帰してしまうことを防止することができる。
【００８１】
また、本実施形態では、情報処理装置１として、アクセスポイントとして機能する無線ＬＡＮモジュール４０を備える複合機を例示した。しかし、情報処理装置１は、これに限定されず、有線ＬＡＮに接続されると共に、無線アクセスポイントとして機能する無線ＬＡＮルータ装置の機能を有してもよい。
【００８２】
また、本実施形態では、無線ＬＡＮ５を介してスマートフォン７に接続される情報処理装置１を例示した。しかし、情報処理装置１は、無線ＬＡＮ規格ＩＥＥＥ８０２．１１に準拠した通信プロトコルと同様の通信プロトコルを用いて１対１で互いに直接にＷｉ−Ｆｉ通信を行うＷｉ−Ｆｉ  Ｄｉｒｅｃｔのグループオーナーモードで動作してもよい。このとき、情報処理装置１は無線ＬＡＮ５を介さずに例えばスマートフォン７等の端末装置と直接に接続する。
【００８３】
また、本実施形態では、情報処理装置１を第１の低消費電力モードから第２の低消費電力モードに復帰させるための復帰要因として、認証手順及び接続手順を完了したこと、又は、認証手順を完了したことを例示した。復帰要因としてさらに、プローブ要求の手順を受けたことを例示した。しかし、復帰要因は、これに限定されず、認証手順において認証フレームを受信したことであってもよいし、接続手順においてアソシエーション要求フレームを受信したことであってもよい。
【符号の説明】
【００８４】
１，１Ａ…情報処理装置、
２…ローカルエリアネットワーク（ＬＡＮ）、
３…パーソナルコンピュータ（ＰＣ）、
５…無線ローカルエリアネットワーク（無線ＬＡＮ）、
７…スマートフォン、
８…公衆回線、
９…ファクシミリ装置、
１０…メインコントローラ、
１１…メインＣＰＵ、
１２…ＣＰＵインタフェース制御回路、
１３…ＲＯＭ、
１４…ＮＶＲＡＭ、
１５…ローカルバス制御回路、
１６…ＲＡＭ、
１７…メモリインタフェース制御回路、
１８…ハードディスクドライブ、
１９…ハードディスクドライブインタフェース制御回路、
２０…スキャナインタフェース制御回路、
２１…画像処理回路、
２２…プリンタインタフェース制御回路、
２３…ファクシミリインタフェース制御回路、
２４…ネットワークインタフェース制御回路、
２５…ＵＳＢインタフェース制御回路、
２６…無線ＬＡＮインタフェース制御回路、
２７，２７Ａ…操作パネル、
２８…操作パネルインタフェース制御回路、
２９…省エネルギー制御回路、
３０…システムバス、
３１…ＳｏＣ、
３２…省エネルギー制御回路、
４０…無線ＬＡＮモジュール、
４１…ＳｏＣ、
４２…ＲＯＭ、
４３…ＲＡＭ、
４４…フレーム検出回路、
４５…メディアアクセスコントローラ回路（ＭＡＣ回路）、
４６…ベースバンド信号処理回路、
４７…ＲＦ回路、
４８…アンテナ、
４９…バス、
５０…スキャナ、
６０…プリンタ、
７０…ファクシミリコントローラ、
１００，１００Ａ…情報処理システム。
【先行技術文献】
【特許文献】
【００８５】
【特許文献１】特開２０１４−６３４０４号公報
【図１】
2017079373.tif 000003
【図２】
2017079373.tif 000004
【図３】
2017079373.tif 000005
【図４】
2017079373.tif 000006
【図５】
2017079373.tif 000007
【図６】
2017079373.tif 000008
【図７】
2017079373.tif 000009
【図８】
2017079373.tif 000010
【図９】
2017079373.tif 000011
【図１０】
2017079373.tif 000012
【図１１】
2017079373.tif 000013
【図１２】
2017079373.tif 000014